(57)【要約】【課題】樹木を振動させる錘は現地で土等を詰めて必要な重さにすることで、山間地へ容易に運搬することができ、この重たくした錘を太い幹に当てて幹と共に枝葉を揺らして接近樹木を確実に判別、確認する。【解決手段】樹木Ｔの幹に当て、この樹木Ｔを振動させる錘部１と、樹木Ｔの幹に着脱自在に取り付けるベルト部６と、これにひも状部材５をつないで錘部１を吊り下げる吊下げ具２と、錘部１が当たる位置の幹表面を保護するために、幹表面に着脱自在に取り付ける保護カバー３とから成り、架空送電線の線下に接近している樹木調査をする際に、近接している樹木Ｔを鉄塔上から判別、確認する。【選択図】図1
2008259439.tif 000002
【特許請求の範囲】
【請求項１】
架空送電線の線下に接近している樹木調査をする際に、近接している樹木（Ｔ）を鉄塔上から判別・確認するために、該当する樹木（Ｔ）を地上で揺する伐採木確認用樹木加振器具であって、
樹木（Ｔ）の幹に当て、この樹木（Ｔ）を振動させる錘部（１）と、
前記樹木（Ｔ）の幹に着脱自在に取り付けるベルト部（６）と、該ベルト部（６）にひも状部材（５）をつないで前記錘部（１）を吊り下げる吊下げ具（２）と、
前記錘部（１）が当たる位置の幹表面を保護するために、該幹表面に着脱自在に取り付ける保護カバー（３）と、から成る、ことを特徴とする伐採木確認用樹木加振器具。
【請求項２】
前記錘部（１）は、作業現場にある土、砂、石等の重量物を充填し得る袋状の部材である、ことを特徴とする請求項１の伐採木確認用樹木加振器具。
【請求項３】
前記錘部（１）に、該錘部（１）を操作者の手元に手繰り寄せるための戻しひも（４）を取り付けた、ことを特徴とする請求項１の伐採木確認用樹木加振器具。
【請求項４】
前記保護カバー（３）は、剛性を有する平面視で湾曲した形状の部材から成り、その両側端に前記樹木（Ｔ）の幹に巻き付けるベルト状部材（７）を取り付けたものである、ことを特徴とする請求項１の伐採木確認用樹木加振器具。
【請求項５】
前記保護カバー（３）は、前記樹木（Ｔ）の幹の湾曲面に密着固定させるために、剛性を有する細長い複数本の板材を各側縁で連結し、これらの連結部が折り曲げ自在に成り、その両側端に前記樹木（Ｔ）の幹に巻き付けるベルト状部材（７）を取り付けたものである、ことを特徴とする請求項１の伐採木確認用樹木加振器具。
【請求項６】
架空送電線の線下に接近している樹木調査をする際に、近接している樹木（Ｔ）を鉄塔上から判別・確認するために、該当する樹木（Ｔ）を地上で揺する伐採木確認用樹木加振器具であって、
樹木（Ｔ）の幹に当て、この樹木（Ｔ）を振動させるために、作業現場にある土、砂、石等の重量物を充填し得る袋状の錘部（１）と、
前記樹木（Ｔ）の幹の上下２箇所に着脱自在に取り付けるベルト状部材（７）と、各ベルト状部材（７）にゴムチューブ、コイルばね等の伸縮部材（９）の一端をそれぞれにつなぎ、各他端に前記錘部（１）を取り付けるように構成した引張り具（１０）と、
前記錘部（１）が当たる位置の幹表面を保護するために、該幹表面に着脱自在に取り付ける保護カバー（３）と、から成る、ことを特徴とする伐採木確認用樹木加振器具。
【請求項７】
架空送電線の線下に接近している樹木調査をする際に、近接している樹木（Ｔ）を鉄塔上から判別・確認するために、該当する樹木（Ｔ）を地上で揺する伐採木確認用樹木加振器具であって、
樹木（Ｔ）の幹に当て、この樹木（Ｔ）を振動させるために、作業現場にある土、砂、石等の重量物を充填し得る袋状の錘部（１）と、
前記錘部（１）を樹木（Ｔ）の幹に当てるために、この幹に着脱自在に取り付けるベルト状部材（７）から突設した棒状部材（１２）と、
２本の前記棒状部材（１２）の間に、前記錘部（１）を挟むように、該錘部（１）を揺動自在に支持するゴムチューブ、コイルばね等の伸縮部材（９）と、
前記錘部（１）が当たる位置の幹表面を保護するために、該幹表面に着脱自在に取り付ける保護カバー（３）と、から成る、ことを特徴とする伐採木確認用樹木加振器具。
【発明の詳細な説明】
【技術分野】
【０００１】
本発明は、架空送電線の線下に接近している樹木を調査する接近樹木調査の際に、近接している樹木を地上で揺らし、その枝、葉が揺れる状態を鉄塔上から観察し、それが伐採すべき樹木かどうかを判別・確認する伐採木確認用樹木加振器具に関する。
【背景技術】
【０００２】
従来より、架空送電線の線下に接近している樹木を調査する接近樹木調査は、近接している樹木を鉄塔上から判別・確認している。この際、樹木が密生している箇所では、鉄塔上から地表が見通せないため、接近樹木の地上位置を特定することが難しい。このような場合、例えば地上から測定棹を樹上に出し、鉄塔上からこれを確認することで位置特定を行っている。しかし、樹木が高い場合は、測定棹による確認も困難である場合が多い。そこで、高い樹木の地上位置特定は、作業者が地上で樹木を揺すり、これを鉄塔上から確認していた。しかし、幹が太い場合、人力では鉄塔上から確認できるほど大きく樹木を揺することができない。
【０００３】
樹木を振動させる技術として、例えば特許文献１の特開平８−２７５６５４号公報「樹木等の加振装置」に示すように、電気的に駆動されることにより振動を発生する発振装置の一側に、被加振部材に係脱可能な取付部を形成すると共に、該発振装置の他側に電源操作部を可撓性を有する連結部材を介して手元操作可能に連結し、上記被加振部材に発振装置を取付けた状態で遠隔操作可能に振動させる樹木等の加振装置が提案されている。特許文献１の「樹木等の加振装置」は、文字どおり、枝或いは幹部分に発振装置を装着した状態で電動ドライバーを駆動し、連結部材を介し発振体を偏心回転させることにより、発振装置に振動を発生させて取付部で挟持係止された枝を所望に揺らし、果実を落下させて受止具で受け止め収集することができる。
【特許文献１】特開平８−２７５６５４号公報
【発明の開示】
【発明が解決しようとする課題】
【０００４】
しかし、特許文献１の「樹木等の加振装置」は、２〜３ｍ程度の低い樹木を対象とするものであり、発振装置を枝或いは幹部分に装着した状態で電動ドライバーを駆動し、果実を落下させて受止具で受け止め収集することが目的である。架空送電線の線下に接近しているような十数ｍから数十ｍの樹高の樹木の枝に作業者が登り、特許文献１のような発振装置を装着する作業は大変危険ではあるという問題を有していた。
【０００５】
また、特許文献１の「樹木等の加振装置」の装置全体を大型にすれば、幹部分に発振装置を装着し、樹木を揺らすことも可能である。しかし、大型化すると装置全体が重くなり、山間地にある送電線の線下まで運搬するには不向きであるという問題を有していた。更に、電源設備も必要である。
【０００６】
本発明は、かかる問題点を解決するために創案されたものである。すなわち、本発明の目的は、樹木を振動させる錘は現地で土等を詰めて必要な重さにすることで、運搬時は軽量で山間地へ容易に運搬することができ、使用するときに重たくする錘を太い幹に当てて幹と共に枝葉を揺らして接近樹木を確実に判別、確認することができる伐採木確認用樹木加振器具を提供することにある。
【課題を解決するための手段】
【０００７】
第１の本発明によれば、架空送電線の線下に接近している樹木調査をする際に、近接している樹木（Ｔ）を鉄塔上から判別・確認するために、該当する樹木（Ｔ）を地上で揺する伐採木確認用樹木加振器具であって、樹木（Ｔ）の幹に当て、この樹木（Ｔ）を振動させる錘部（１）と、前記樹木（Ｔ）の幹に着脱自在に取り付けるベルト部（６）と、該ベルト部（６）にひも状部材（５）をつないで前記錘部（１）を吊り下げる吊下げ具（２）と、前記錘部（１）が当たる位置の幹表面を保護するために、該幹表面に着脱自在に取り付ける保護カバー（３）と、から成る、ことを特徴とする伐採木確認用樹木加振器具が提供される。
例えば、前記錘部（１）は、作業現場にある土、砂、石等の重量物を充填し得る袋状の部材である成るものである。
前記錘部（１）に、該錘部（１）を操作者の手元に手繰り寄せるための戻しひも（４）を更に取り付けることが好ましい。
【０００８】
例えば、前記保護カバー（３）は、剛性を有する平面視で湾曲した形状の部材から成り、その両側端に前記樹木（Ｔ）の幹に巻き付けるベルト状部材（７）を取り付けたものである。
また、前記保護カバー（３）は、前記樹木（Ｔ）の幹の湾曲面に密着固定させるために、剛性を有する細長い複数本の板材を各側縁で連結し、これらの連結部が折り曲げ自在に成り、その両側端に前記樹木（Ｔ）の幹に巻き付けるベルト状部材（７）を取り付けたものである。
【０００９】
第２の本発明は、架空送電線の線下に接近している樹木調査をする際に、近接している樹木（Ｔ）を鉄塔上から判別・確認するために、該当する樹木（Ｔ）を地上で揺する伐採木確認用樹木加振器具であって、樹木（Ｔ）の幹に当て、この樹木（Ｔ）を振動させるために、作業現場にある土、砂、石等の重量物を充填し得る袋状の錘部（１）と、前記樹木（Ｔ）の幹の上下２箇所に着脱自在に取り付けるベルト状部材（７）と、各ベルト状部材（７）にゴムチューブ、コイルばね等の伸縮部材（９）の一端をそれぞれにつなぎ、各他端に前記錘部（１）を取り付けるように構成した引張り具（１０）と、前記錘部（１）が当たる位置の幹表面を保護するために、該幹表面に着脱自在に取り付ける保護カバー（３）とから成る。
【００１０】
第３の本発明は、架空送電線の線下に接近している樹木調査をする際に、近接している樹木（Ｔ）を鉄塔上から判別・確認するために、該当する樹木（Ｔ）を地上で揺する伐採木確認用樹木加振器具であって、樹木（Ｔ）の幹に当て、この樹木（Ｔ）を振動させるために、作業現場にある土、砂、石等の重量物を充填し得る袋状の錘部（１）と、前記錘部（１）を樹木（Ｔ）の幹に当てるために、この幹に着脱自在に取り付けるベルト状部材（７）から突設した棒状部材（１２）と、２本の前記棒状部材（１２）の間に、前記錘部（１）を挟むように、該錘部（１）を揺動自在に支持するゴムチューブ、コイルばね等の伸縮部材（９）と、前記錘部（１）が当たる位置の幹表面を保護するために、該幹表面に着脱自在に取り付ける保護カバー（３）とから成る。
【発明の効果】
【００１１】
上記構成の第１の本発明では、錘部（１）、吊下げ具（２）及び保護カバー（３）は、それぞれ軽量な材質のものから成り、かつコンパクトにまとめることができるので、これらの器具を作業現場となる山間地へ容易に運搬することができる。特に、繁茂している山中であっても無理なく持運ぶことができる。該当する樹木（Ｔ）に、これらの器具を１人作業で迅速に装着することができ、また、容易に取り外すことができる。そこで、接近樹木調査の迅速化を図ることができる。
錘部（１）は袋状のもので、それ自体は軽く、現地で土等を充填して十分な重さとすることができるので、幹の太い樹木（Ｔ）を大きく揺することができる。
【００１２】
揺らし作業に際して、錘部（１）に取り付けた戻しひも（４）で作業者は、その場を移動することなく、錘部（１）を幹に当てて揺らすことができる。また、高い場所を選んで錘部（１）を高く上げることができ、強い力で樹木（Ｔ）を揺らすことができる。
樹木（Ｔ）の幹に保護カバー（３）を巻き付けることにより、その樹木に損傷を与えるおそれがない。
【００１３】
第２の本発明では、錘部（１）をゴムチューブ、コイルばね等の伸縮部材（９）で樹木（Ｔ）の幹に当てる構造で、この錘部（１）を１度引っ張れば、この伸縮部材（９）の伸縮力により複数回この錘部（１）を幹に当てることができ、樹木（Ｔ）を確実に揺らすことができる。このように揺さ振る状態を持続することにより、鉄塔上より伐採範囲を正確に判断することができる。
【００１４】
第３の本発明では、錘部（１）を棒状部材（１２）間で揺らす構造で、その振動動作を継続することができ、樹木（Ｔ）の揺らし動作を継続することができる。
【発明を実施するための最良の形態】
【００１５】
本発明の伐採木確認用樹木加振器具は、樹木の幹に当てるため作業現場で土等を入れた錘部と、樹木の幹に着脱自在に取り付けるベルト部と、これにひも状部材をつないで錘部を吊り下げる吊下げ具とから成る加振器具である。この加振器具を用いて樹木を揺すことによりを鉄塔上から観察して伐採すべき樹木かどうかを判別・確認する器具である。
【実施例１】
【００１６】
以下、本発明の好ましい実施の形態を図面を参照して説明する。
図１は実施例１の伐採木確認用樹木加振器具を用いて樹木を揺さ振る状態の概略図である。図２は実施例１の伐採木確認用樹木加振器具の全体説明図である。図３は錘部を示す拡大図であり、（ａ）は正面図、（ｂ）は側面図である。図４は保護カバーを示す拡大斜視図である。
本発明の伐採木確認用樹木加振器具は、錘部１と吊下げ具２と保護カバー３とから成る器具である。この伐採木確認用樹木加振器具を用いて樹木Ｔを地上で揺さ振り、この樹木Ｔの揺さ振りを鉄塔上から観察することで、架空送電線の線下に接近している樹木Ｔかどうかを判別・確認することができる。
【００１７】
錘部１は、作業現場にある土、砂、石等の重量物を充填し得る袋状の部材である。例えば、ゴム製の袋体に直接土、砂、石等の重量物を充填する。勿論、これらの重量物を充填した状態で樹木Ｔの幹に当てた時の衝撃に耐えられる程度の強度は必要である。また、樹木Ｔに損傷を与えないように、ゴム製の素材を用いることが望ましい。
【００１８】
また図３（ａ）、（ｂ）に示すように、錘部１はそれ自体をショルダーバッグとして用いるように工夫することも可能である。このバッグの中に土等を入れるビニール袋、このバッグを吊るすベルト、ひも、ゴムロープ、移植ゴテ、伐採範囲確認用テープ等を入れておくことができる。作業現場において、バッグの中からベルト、ロープ等を取り出し、ビニール袋に土等を入れ、このビニール袋を空になったバッグに入れて重たくし、錘部１として使用する。
【００１９】
錘部１には、この錘部１を操作者の手元に手繰り寄せるための戻しひも４を取り付けている。これにより、作業者は、その場を移動することなく、錘部１を幹に当てて揺らすことができる。この戻しひも４を使用すれば、高い場所を選んで錘部１を高く上げることができ、即ち、高低差を大きくとり強い力で樹木Ｔを揺らすことができる。
【００２０】
吊下げ具２は、ひも状部材５の一端を樹木Ｔの幹に着脱自在に取り付けるベルト部６につなぎ、ひも状部材５の多端に錘部１をつないで、錘部１を幹に吊り下げる器具である。ひも状部材５は例えばナイロン製ロープ、ナイロンスリング等のロープ状の部材を用いる。ひも状部材５は全長０．６ｍから１．０ｍ程度が適していた。これが作業を円滑に進めることができる長さである。ベルト部６は樹木Ｔの幹に巻き付けるものであれば、図示例のようにひも状部材５の一端を輪状にしたものでもよく、また別部材のものでもよい。吊下げ具２のひも状部材５の上端のベルト部６は、樹木Ｔの根元から１．１ｍから１．６ｍ程度が適していた。この高さが作業現場で台を用いることなく、吊下げ具２を樹木Ｔに装着できる高さである。
【００２１】
保護カバー３は、合成樹脂製、木製等の剛性を有する平面視で湾曲した形状の板材から成り、その両側端に樹木Ｔの幹に巻き付けるベルト状部材７を取り付けたものである。これにより、錘部１を幹表面に強力に当てても、この位置を保護することができる。図４に示すように保護カバー３を補強すると共に、錘部１を当てやすくするための図星８を設けることも可能である。
【００２２】
図５は保護カバーの他の実施例を示す拡大斜視図である。
この実施例の保護カバー３は、樹木Ｔの幹の湾曲面に密着固定させるために、合成樹脂板、木製板のような剛性を有する細長い複数本の板材を各側縁で連結し、これらの連結部が折り曲げ自在に成り、その両側端に樹木Ｔの幹に巻き付けるベルト状部材７を取り付けたものである。このように、フレキシブルな状態に構成することで、幹の大小にかかわらず、樹木Ｔの幹の湾曲面に密着固定させ、錘部１の衝撃力を幹に確実に伝播させると共に、この保護カバー３自体の破損を防止することができる。
【００２３】
このように構成した伐採木確認用樹木加振器具では、錘部１、吊下げ具２及び保護カバー３は、それぞれ軽量な材質のものから成り、かつコンパクトにまとめることができるので、これらの器具を作業現場となる山間地へ容易に運搬することができる。特に、繁茂している山中へ無理なく持運ぶことができる。該当する樹木Ｔに、これらの器具を１人作業で迅速に装着することができ、かつ容易に取り外すことができる。そこで、接近樹木調査の迅速化を図ることができる。
【００２４】
樹木調査が終了したら、錘部１に詰めていた土、砂、石等の重量物を取出して、この中に吊下げ具２と保護カバー３等の調査作業に必要な器具を入れて運搬する器具として利用することができる。
【実施例２】
【００２５】
図６は実施例２の伐採木確認用樹木加振器具を用いて樹木を揺さ振る状態の概略図である。錘部１と保護カバー３は実施例１で説明したものと同じ構成であるため説明を省略する。
実施例２の伐採木確認用樹木加振器具は、樹木Ｔの幹の上下２箇所に着脱自在に取り付けるベルト状部材７と、各ベルト状部材７にゴムチューブ、コイルばね等の伸縮部材９の一端をそれぞれにつなぎ、各他端に錘部１を取り付けるように構成した引張り具１０を用いたものである。この錘部１は作業者がハンドル１１を握って樹木Ｔから離れる方向に引っ張り、そのまま手を放すと、伸縮部材９の縮む作用で強く錘部１を保護カバー３に当てることができる。勿論このハンドル１１を用いず、錘部１を直接持って引っ張ることも可能である。
【００２６】
実施例２の本発明は、錘部１をゴムチューブ、コイルばね等の伸縮部材９で樹木Ｔの幹に当てる構造で、錘部１を１度引っ張れば、この伸縮部材９の伸縮力により複数回この錘部１を幹に当てることができる。そこで、樹木Ｔを確実に揺らすことができる。このように揺さ振る状態を持続することにより、鉄塔上より伐採範囲を正確に観察して、判断することができる。
【実施例３】
【００２７】
図７は実施例３の伐採木確認用樹木加振器具を用いて樹木を揺さ振る状態の概略図である。錘部１と保護カバー３は実施例１で説明したものと同じ構成であるため説明を省略する。
実施例３の伐採木確認用樹木加振器具は、錘部１を樹木Ｔの幹に当てるために、この幹に着脱自在に取り付けるベルト状部材７から突設した棒状部材１２と、２本の棒状部材１２の間に、錘部１を挟むように、錘部１を揺動自在に支持するゴムチューブ、コイルばね等の伸縮部材９とを用いたものである。この実施例３の構造でも、その錘部１に繋いだハンドル１１を作業者が握って樹木Ｔから離れる方向に引っ張り、そのまま手を放せば、伸縮部材９の縮む作用で強く錘部１を保護カバー３に当てることができる。勿論実施例３でもこのハンドル１１を用いず、錘部１を直接持って引っ張ることも可能である。
【００２８】
実施例３の錘部１を棒状部材１２間で揺らす構造でも、その振動動作を継続することができ、樹木Ｔの揺らし動作を継続することができる。
【００２９】
なお、本発明は、樹木Ｔを振動させる錘部１は現地で土等を詰めて必要な重さにすることで、運搬時は軽量で山間地へ容易に運搬することができ、使用するときに重たくする錘部１を太い幹に当てて幹と共に枝葉を揺らして接近樹木Ｔを確実に判別、確認することができれば、上述した発明の実施の形態に限定されず、本発明の要旨を逸脱しない範囲で種々変更できることは勿論である。
【産業上の利用可能性】
【００３０】
本発明の伐採木確認用樹木加振器具は、伐採する際の立木の伐倒作業以外に密生している中から特定の樹木を判別するときにも利用することができる。
【図面の簡単な説明】
【００３１】
【図１】実施例１の伐採木確認用樹木加振器具を用いて樹木を揺さ振る状態の概略図である。
【図２】実施例１の伐採木確認用樹木加振器具の全体説明図である。
【図３】錘部を示す拡大図であり、（ａ）は正面図、（ｂ）は側面図である。
【図４】保護カバーを示す拡大斜視図である。
【図５】保護カバーの他の実施例を示す拡大斜視図である。
【図６】実施例２の伐採木確認用樹木加振器具を用いて樹木を揺さ振る状態の概略図である。
【図７】実施例３の伐採木確認用樹木加振器具を用いて樹木を揺さ振る状態の概略図である。
【符号の説明】
【００３２】
１  錘部
２  吊下げ具
３  保護カバー
４  戻しひも
５  ひも状部材
６  ベルト部
７  ベルト状部材
９  伸縮部材
１０  引張り具
１２  棒状部材
Ｔ  樹木
【図１】
2008259439.tif 000003
【図２】
2008259439.tif 000004
【図３】
2008259439.tif 000005
【図４】
2008259439.tif 000006
【図５】
2008259439.tif 000007
【図６】
2008259439.tif 000008
【図７】
2008259439.tif 000009